(57)【特許請求の範囲】
【請求項１】
受信信号を復調し、復調信号を出力する信号復調手段と、
前記受信信号の強度を計測する信号強度計測手段と、
前記受信信号に含まれる雑音成分の強度を計測する雑音強度計測手段と、
前記信号復調手段が出力した復調信号の外部への出力をオン又はオフするスイッチ手段と、
前記信号強度計測手段が計測した受信信号の強度と、前記雑音強度計測手段が計測した雑音成分の強度との差分が所定の値以上になった場合に前記スイッチ手段が前記復調信号の外部への出力をオンし、前記受信信号の強度と前記雑音成分の強度との差分が所定の値未満になった場合に前記スイッチ手段が前記復調信号の外部への出力をオフするように制御する制御手段と、
前記制御手段が前記スイッチ手段に前記復調信号の外部への出力をオンさせてからオフさせるまでのスケルチオープン時間を計時する計時手段と、
前記計時手段が計時したスケルチオープン時間が第１の時間より短いか否かを判別する時間比較手段と、
前記スケルチオープン時間が第１の時間より短いと前記時間比較手段が第２の時間内に判別した回数である誤動作回数を計数する計数手段と、
前記計数手段が計数した誤動作回数が閾値よりも大きい場合に、前記受信信号の強度に所定のオフセット値を減算するか、或いは、雑音成分の強度に所定のオフセット値を加算するスケルチレベル補正手段と、を備える、
ことを特徴とする受信装置。
【請求項２】
前記スケルチレベル補正手段は、
前記計数手段が計数した誤動作回数が所定数より小さい場合に、スケルチレベルを変更するための閾値である評価点に第１の点数を加算し、
前記計数手段が計数した誤動作回数が所定数より大きい場合に、前記評価点に第２の点数を減算し、
前記評価点が第３の点数より高得点である場合に前記雑音成分の強度に所定のオフセット値を減算し、
前記評価点が第４の点数より低得点である場合に前記雑音成分の強度に所定のオフセット値を加算する、
ことを特徴とする請求項１に記載の受信装置。
【請求項３】
前記スケルチレベル補正手段は、
前記計数手段が計数した誤動作回数が所定数より小さい場合に、スケルチレベルを変更するための閾値である評価点に第１の点数を加算し、
前記計数手段が計数した誤動作回数が所定数より大きい場合に、前記評価点に第２の点数を減算し、
前記評価点が第３の点数より高得点である場合に前記受信信号の強度に所定のオフセット値を加算し、
前記評価点が第４の点数より低得点である場合に前記受信信号の強度に所定のオフセット値を減算する、
ことを特徴とする請求項１に記載の受信装置。
【請求項４】
前記受信信号の強度又は前記雑音成分の強度に任意のオフセット値を加算、又は、減算するスケルチレベル調整手段をさらに備える、
ことを特徴とする請求項１乃至３の何れかに記載の受信装置。
【請求項５】
受信信号を復調し、復調信号を出力する信号復調ステップと、
前記受信信号の強度を計測する信号強度計測ステップと、
前記受信信号に含まれる雑音成分の強度を計測する雑音強度計測ステップと、
前記信号復調ステップで出力した復調信号の外部への出力をオン又はオフするスイッチステップと、
前記信号強度計測ステップで計測した受信信号の強度と、前記雑音強度計測ステップで計測した雑音成分の強度との差分が所定の値以上になった場合に前記スイッチステップで前記復調信号の外部への出力をオンし、前記受信信号の強度と前記雑音成分の強度との差分が所定の値未満になった場合に前記スイッチステップで前記復調信号の外部への出力をオフするように制御する制御ステップと、
前記制御ステップで前記スイッチステップに前記復調信号の外部への出力をオンさせてからオフさせるまでのスケルチオープン時間を計時する計時ステップと、
前記計時ステップで計時したスケルチオープン時間が第１の時間より短いか否かを判別する時間比較ステップと、
前記スケルチオープン時間が第１の時間より短いと前記時間比較ステップで第２の時間内に判別した回数である誤動作回数を計数する計数ステップと、
前記計数ステップで計数した誤動作回数が閾値よりも大きい場合に、前記受信信号の強度に所定のオフセット値を減算するか、或いは、雑音成分の強度に所定のオフセット値を加算するスケルチレベル補正ステップと、を備える、
ことを特徴とするスケルチレベル設定方法。
【請求項６】
受信信号を復調し、復調信号を出力する信号復調手段と、前記信号復調手段が出力した復調信号の外部への出力をオン又はオフするスイッチ手段とを備えるコンピュータを、
前記受信信号の強度を計測する信号強度計測手段、
前記受信信号に含まれる雑音成分の強度を計測する雑音強度計測手段、
前記信号強度計測手段が計測した受信信号の強度と、前記雑音強度計測手段が計測した雑音成分の強度との差分が所定の値以上になった場合に前記スイッチ手段が前記復調信号の外部への出力をオンし、前記受信信号の強度と前記雑音成分の強度との差分が所定の値未満になった場合に前記スイッチ手段が前記復調信号の外部への出力をオフするように制御する制御手段、
前記制御手段が前記スイッチ手段に前記復調信号の外部への出力をオンさせてからオフさせるまでのスケルチオープン時間を計時する計時手段、
前記計時手段が計時したスケルチオープン時間が第１の時間より短いか否かを判別する時間比較手段、
前記スケルチオープン時間が第１の時間より短いと前記時間比較手段が第２の時間内に判別した回数である誤動作回数を計数する計数手段、
及び、前記計数手段が計数した誤動作回数が閾値よりも大きい場合に、前記受信信号の強度に所定のオフセット値を減算するか、或いは、雑音成分の強度に所定のオフセット値を加算するスケルチレベル補正手段、
として機能させることを特徴とするプログラム。
【発明の詳細な説明】
【技術分野】
【０００１】
本発明は、スケルチ機能を備える受信装置、スケルチレベル設定方法、及び、プログラムに関する。
【背景技術】
【０００２】
無線信号に含まれる雑音信号の電圧値（スケルチ強度）に基づいて、音声スピーカへの無線信号の出力をオン又はオフに切り替える機能（以下、「スケルチ機能」という）を備える無線機がある。スケルチ機能には、雑音が発生すると、その雑音を除去する為に最適なスケルチ強度を手動で探すマニュアルスケルチや、ユニットの製作段階で予めスケルチ強度を設定した回路を組み込むプリセットスケルチ等がある。また、他のスケルチ機能として、入力信号の強度に応じてオン又はオフを切り替えるスケルチ強度を設定するスケルチ制御方法が、特許文献１に開示されている。
【０００３】
特許文献１に開示されている無線機は、受信信号強度を一定周期で計測し、計測した受信信号強度がスケルチオープンレベルを上回り、且つ、前回計測した受信信号強度を上回る場合に、固定値であるスケルチオープンレベルと可変値であるスケルチクローズレベルとの差であるヒステリシスを、今回計測した受信信号強度に対応する大きさに変更する。
また、今回計測した受信信号強度がスケルチオープンレベルを上回り、且つ、前回計測した受信信号強度を下回るがその差が一定のレベル以内のときの場合には、ヒステリシスを、今回計測した受信信号強度に対応する大きさに変更する。
【先行技術文献】
【特許文献】
【０００４】
【特許文献１】特開２００２−２３２３０６号公報
【発明の概要】
【発明が解決しようとする課題】
【０００５】
先ず、マニュアルスケルチでは、最適なスケルチ強度の設定を手動で行わなければならず、操作が面倒であるばかりでなく、設定値が適正か否かの判断は、設定後のスケルチ動作をユーザが確認することになるため、設定値が適正でなければ再度調整する必要がある。
また、プリセットスケルチでは、予め設定したレベルまでのスケルチ強度は得られるが、それを超えると、たちまち雑音が発生してしまうし、また、プリセットされる設定値は、ある程度の状況変化でも誤作動しないように感度を落とした設定値であるなど、適切なスケルチレベルの設定が困難である。
また、特許文献１の無線機では、スケルチクローズレベルは受信信号強度に応じて変更するものの、スケルチオープンレベルを高く設定すれば感度が下がり、スケルチオープンレベルを低く設定すれば誤動作が増え、適切なスケルチレベルが設定できなかった。
【０００６】
本発明は、上記問題点に鑑みて為されたもので、面倒な操作を必要とせず、適切にスケルチレベルを設定できる受信装置、スケルチレベル設定方法、及び、プログラムを提供することを目的とする。
【課題を解決するための手段】
【０００７】
上記目的を達成するために本発明の第１の観点に係る受信装置は、
受信信号を復調し、復調信号を出力する信号復調手段と、
前記受信信号の強度を計測する信号強度計測手段と、
前記受信信号に含まれる雑音成分の強度を計測する雑音強度計測手段と、
前記信号復調手段が出力した復調信号の外部への出力をオン又はオフするスイッチ手段と、
前記信号強度計測手段が計測した受信信号の強度と、前記雑音強度計測手段が計測した雑音成分の強度との差分が所定の値以上になった場合に前記スイッチ手段が前記復調信号の外部への出力をオンし、前記受信信号の強度と前記雑音成分の強度との差分が所定の値未満になった場合に前記スイッチ手段が前記復調信号の外部への出力をオフするように制御する制御手段と、
前記制御手段が前記スイッチ手段に前記復調信号の外部への出力をオンさせてからオフさせるまでのスケルチオープン時間を計時する計時手段と、
前記計時手段が計時したスケルチオープン時間が第１の時間より短いか否かを判別する時間比較手段と、
前記スケルチオープン時間が第１の時間より短いと前記時間比較手段が第２の時間内に判別した回数である誤動作回数を計数する計数手段と、
前記計数手段が計数した誤動作回数が閾値よりも大きい場合に、前記受信信号の強度に所定のオフセット値を減算するか、或いは、雑音成分の強度に所定のオフセット値を加算するスケルチレベル補正手段と、を備える
ことを特徴とする。
【０００８】
例えば、前記スケルチレベル補正手段は、
前記計数手段が計数した誤動作回数が所定数より小さい場合に、スケルチレベルを変更するための閾値である評価点に第１の点数を加算し、
前記計数手段が計数した誤動作回数が所定数より大きい場合に、前記評価点に第２の点数を減算し、
前記評価点が第３の点数より高得点である場合に前記雑音成分の強度に所定のオフセット値を減算し、
前記評価点が第４の点数より低得点である場合に前記雑音成分の強度に所定のオフセット値を加算してもよい。
【０００９】
例えば、前記スケルチレベル補正手段は、
前記計数手段が計数した誤動作回数が所定数より小さい場合に、スケルチレベルを変更するための閾値である評価点に第１の点数を加算し、
前記計数手段が計数した誤動作回数が所定数より大きい場合に、前記評価点に第２の点数を減算し、
前記評価点が第３の点数より高得点である場合に前記受信信号の強度に所定のオフセット値を加算し、
前記評価点が第４の点数より低得点である場合に前記受信信号の強度に所定のオフセット値を減算してもよい。
【００１０】
例えば、前記受信信号の強度又は前記雑音成分の強度に任意のオフセット値を加算、又は、減算するスケルチレベル調整手段をさらに備えてもよい。
【００１１】
本発明の第２の観点に係るスケルチレベル設定方法は、
受信信号を復調し、復調信号を出力する信号復調ステップと、
前記受信信号の強度を計測する信号強度計測ステップと、
前記受信信号に含まれる雑音成分の強度を計測する雑音強度計測ステップと、
前記信号復調ステップで出力した復調信号の外部への出力をオン又はオフするスイッチステップと、
前記信号強度計測ステップで計測した受信信号の強度と、前記雑音強度計測ステップで計測した雑音成分の強度との差分が所定の値以上になった場合に前記スイッチステップで前記復調信号の外部への出力をオンし、前記受信信号の強度と前記雑音成分の強度との差分が所定の値未満になった場合に前記スイッチステップで前記復調信号の外部への出力をオフするように制御する制御ステップと、
前記制御ステップで前記スイッチステップに前記復調信号の外部への出力をオンさせてからオフさせるまでのスケルチオープン時間を計時する計時ステップと、
前記計時ステップで計時したスケルチオープン時間が第１の時間より短いか否かを判別する時間比較ステップと、
前記スケルチオープン時間が第１の時間より短いと前記時間比較ステップで第２の時間内に判別した回数である誤動作回数を計数する計数ステップと、
前記計数ステップで計数した誤動作回数が閾値よりも大きい場合に、前記受信信号の強度に所定のオフセット値を減算するか、或いは、雑音成分の強度に所定のオフセット値を加算するスケルチレベル補正ステップと、を備える、
ことを特徴とする。
【００１２】
本発明の第３の観点に係るプログラムは、
受信信号を復調し、復調信号を出力する信号復調手段と、前記信号復調手段が出力した復調信号の外部への出力をオン又はオフするスイッチ手段とを備えるコンピュータを、
前記受信信号の強度を計測する信号強度計測手段、
前記受信信号に含まれる雑音成分の強度を計測する雑音強度計測手段、
前記信号強度計測手段が計測した受信信号の強度と、前記雑音強度計測手段が計測した雑音成分の強度との差分が所定の値以上になった場合に前記スイッチ手段が前記復調信号の外部への出力をオンし、前記受信信号の強度と前記雑音成分の強度との差分が所定の値未満になった場合に前記スイッチ手段が前記復調信号の外部への出力をオフするように制御する制御手段、
前記制御手段が前記スイッチ手段に前記復調信号の外部への出力をオンさせてからオフさせるまでのスケルチオープン時間を計時する計時手段、
前記計時手段が計時したスケルチオープン時間が第１の時間より短いか否かを判別する時間比較手段、
前記スケルチオープン時間が第１の時間より短いと前記時間比較手段が第２の時間内に判別した回数である誤動作回数を計数する計数手段、
及び、前記計数手段が計数した誤動作回数が閾値よりも大きい場合に、前記受信信号の強度に所定のオフセット値を減算するか、或いは、雑音成分の強度に所定のオフセット値を加算するスケルチレベル補正手段、
として機能させることを特徴とする。
【発明の効果】
【００１３】
本発明の受信装置によれば、調整ツマミなどによる手動でのスケルチレベルの調整を行うことなく、運用環境や空間状況の変化に対して適切にスケルチレベルを設定できる。
また、調整ツマミの必要が無い為、機能パネル面の省スペース化が可能となる。
【図面の簡単な説明】
【００１４】
【図１】本発明の第１の実施形態に係る受信装置の構成図である。
【図２】第１の実施形態におけるスケルチ設定情報を説明するための表である。
【図３】受信装置の動作を説明するための図である。
【図４】スケルチ開閉処理を説明するためのフローチャートである。
【図５】第１の実施形態におけるスケルチ補正処理を説明するためのフローチャートである。
【図６】第２の実施形態におけるスケルチ設定情報を説明するための表である。
【図７】第２の実施形態における評価点導出処理を説明するためのフローチャートである。
【図８】第２の実施形態におけるスケルチ補正処理を説明するためのフローチャートである。
【発明を実施するための形態】
【００１５】
（第１の実施形態）
以下、本発明の第１の実施形態に係る受信装置１００を説明する。受信装置１００は、変調信号を受信して復調し、復調信号を音声信号として出力する。
また、受信装置１００は、受信信号の強度と、それに含まれるノイズの強度とに基づいてスケルチの開閉を行う。
また、受信装置１００は、スケルチの開閉における誤動作を検出することによってスケルチの開閉を最適なものにする。
【００１６】
受信装置１００は、図１に示すように、アンテナ１０１と、復調回路１０２と、第１ＢＰＦ（Band-Pass Filter）１０３と、スイッチ１０４と、音声スピーカ１０５と、第２ＢＰＦ１０６と、検波器１０７と、Ａ／Ｄ変換器１０８と、Ａ／Ｄ変換器１０９と、制御部１１０と、記憶部１１１と、表示部１１２と、操作部１１３と、から構成される。
【００１７】
復調回路１０２は、アンテナ１０１を介して受信した変調信号を復調して、復調信号を第１ＢＰＦ１０３と第２ＢＰＦ１０６とＡ／Ｄ変換器１０９とに供給する。
【００１８】
第１ＢＰＦ（Band-Pass Filter）１０３は、復調回路１０２より供給された復調信号の内の音声信号の周波数に該当する所定の周波数帯域の信号だけを通過させてスイッチ１０４に供給する。それ以外の周波数の信号は減衰させる。
【００１９】
スイッチ１０４は、制御部１１０の制御のもと、第１ＢＰＦ１０３より供給された復調信号の音声スピーカ１０５への出力のオン及びオフを切り替える。以下、スイッチ１０４をオンにすることを、スケルチを開くと述べ、スイッチ１０４をオフにすることを、スケルチを閉じると述べる。
【００２０】
音声スピーカ１０５は、スイッチ１０４より供給された復調信号を音声信号として出力する。
【００２１】
第２ＢＰＦ（Band-Pass Filter）１０６は、復調回路１０２より供給された復調信号の内の雑音信号の周波数に該当する所定の周波数帯域の信号だけを通過させて、検波器１０７に供給する。それ以外の周波数の信号は減衰させる。
【００２２】
検波器１０７は、第２ＢＰＦ１０６より供給された雑音信号を交流から直流に整流して、Ａ／Ｄ変換器１０８に供給する。
【００２３】
Ａ／Ｄ変換器１０８は、検波器１０７より供給された雑音信号をアナログ信号からデジタル信号に変換し、制御部１１０に供給する。なお、制御部１１０に供給される雑音信号は８ｂｉｔで表される。
【００２４】
Ａ／Ｄ変換器１０９は、復調回路１０２より供給された復調信号（以下、ＲＳＳＩ信号）をアナログ信号からデジタル信号に変換し、制御部１１０に供給する。なお、制御部１１０に供給される受信信号の強度を示すＲＳＳＩ（Received Signal Strength Indicator）信号は８ｂｉｔで表される。
【００２５】
制御部１１０は、ＣＰＵ（Central Processing Unit)から構成されており、記憶部１１１に格納されるプログラムに従い、受信装置１００全体を制御する。
例えば、制御部１１０は、ＲＳＳＩ信号電圧と、雑音信号電圧とに基づいてスケルチの開閉を行う。
また、受信装置１００は、スケルチの開閉における誤動作を検出することによって雑音信号のオフセット値を増減させ、スケルチの開閉を最適なものにする。
【００２６】
記憶部１１１は、フラッシュメモリなどの不揮発性メモリ、ＲＡＭ（Random Access Memory）等から構成され、制御部１１０のワークメモリとして機能する。また、記憶部１１１は、制御部１１０の動作プログラムや図２に示すようなスケルチ設定情報１１１ａ等を記憶する。なお、動作プログラムの詳細は後述する。
【００２７】
スケルチ設定情報１１１ａは、図２に示すように、ＲＳＳＩ信号の電圧値に加算するオフセット値であるＲＳＳＩオフセット値の項目と、雑音信号の電圧値に加算するオフセット値であるノイズオフセット値の項目と、スケルチの開閉が誤動作であるか否かを判別するための誤動作判定時間の項目と、誤動作を測定する時間である誤動作測定時間の項目と、スケルチの開閉において誤動作したとみなされた回数である誤動作回数の項目と、ノイズオフセット値を変更するための誤動作回数閾値の項目と、から構成される。
【００２８】
例えば、制御部１１０は、スケルチ設定情報１１１ａのＲＳＳＩオフセット値が「２」であれば、ＲＳＳＩ信号電圧値にオフセット値「２」を加算する。
例えば、制御部１１０は、スケルチ設定情報１１１ａのノイズオフセット値が「１」であれば、雑音信号電圧値にオフセット値「１」を加算する。
例えば、制御部１１０は、スケルチ設定情報１１１ａの誤動作判定時間が「５ｍｓｅｃ」であれば、スケルチがオープンになっている時間、つまり、スイッチ１０４がオンになっている時間（以下、スケルチオープン時間）が「５ｍｓｅｃ」以下のときに誤作動が起きたと判定する。
例えば、制御部１１０は、スケルチ設定情報１１１ａの誤動作測定時間が「２０ｓｅｃ」であれば、「２０ｓｅｃ」の間、誤作動が起きた回数（誤動作回数）を計数する。
例えば、制御部１１０が、スケルチの開閉において誤動作を検出すると誤動作回数に「１」を加算する。
例えば、制御部１１０は、スケルチ設定情報１１１ａの誤動作回数閾値が「２」であれば、誤動作回数が「２」以上のときにノイズオフセット値に「１」を加算する。
【００２９】
なお、スケルチ設定情報１１１ａは、ユーザの操作部１１３を介した要求に応じて変更可能である。
【００３０】
表示部１１２は、ドットマトリクスタイプのＬＣＤ（液晶表示）パネルとドライバ回路等から構成され、操作に必要な任意の画像を表示する。
【００３１】
操作部１１３は、ユーザが指示やデータを入力するための各種のキー若しくはボタンを備え、制御部１１０への各種の指示やデータを入力する。
【００３２】
以下、上記構成を有する受信装置１００の動作を説明する。
【００３３】
先ず、図３に示すグラフを参照しながら、受信装置１００におけるスケルチの開閉の一連の処理の一例を説明する。
【００３４】
受信装置１００は、電源が投入されると、変調信号を受信して復調し、復調信号の出力を開始する。受信装置１００は、ＲＳＳＩ信号電圧が雑音信号電圧以上になった場合にスケルチを開き、ＲＳＳＩオフセット値を「０」から「２」に設定する。そして、ＲＳＳＩオフセット値が「２」であるＲＳＳＩ信号電圧が雑音信号電圧未満になった場合にスケルチを閉じ、ＲＳＳＩオフセット値を「２」から「０」に設定する。
【００３５】
また、受信装置１００は、同時にスケルチの開閉に関する誤動作を検出し、誤動作回数に応じてノイズオフセット値を変更する。
【００３６】
受信装置１００は、スケルチオープン時間を計時し、スケルチオープン時間が誤動作判定時間より短い場合に誤動作と判定する。そして、受信装置１００は、誤動作計測時間内に誤動作を判定した回数である誤動作回数を計数し、誤動作回数が誤動作回数閾値より大きい場合にノイズオフセット値に「１」を加算する。
【００３７】
次に、受信装置１００が実際に行う各処理を、図４，５に示すフローチャートを参照しながら説明する。なお、図４，５に示される各処理は、時分割処理を用いて実行される。
【００３８】
先ず、受信装置１００が行うスケルチ開閉処理を説明する。簡単に説明すると、受信装置１００は、ＲＳＳＩ信号電圧と雑音信号電圧との大小に基づいてスケルチの開閉を行う。
【００３９】
以下、図４に示すフローチャートを参照しながら、スケルチ開閉処理を詳細に説明する。なお、電源投入時においてＲＳＳＩオフセット値とノイズオフセット値は「０」にプリセットされる。
【００４０】
電源が投入されると、受信装置１００の制御部１１０は、ＲＳＳＩ信号電圧が雑音信号電圧以上であるか否かを判別する（ステップＳ１１）。
【００４１】
ＲＳＳＩ信号電圧が雑音信号電圧以上であると判別すると（Ｓ１１；ＹＥＳ）、制御部１１０は、スケルチ設定情報１１１ａのＲＳＳＩオフセット値を「２」に設定し（ステップＳ１２）、スケルチを開き（ステップＳ１３）、処理をステップＳ１１に戻す。
【００４２】
ＲＳＳＩ信号電圧が雑音信号電圧未満であると判別すると（Ｓ１１；ＮＯ）、制御部１１０は、スケルチ設定情報１１１ａのＲＳＳＩオフセット値を「０」に設定し（ステップＳ１４）、スケルチを閉じ（ステップＳ１５）、処理をステップＳ１１に戻す。
【００４３】
このようにして、スケルチ開閉処理によれば、受信装置１００は、ＲＳＳＩ信号電圧と雑音信号電圧との大小に基づいてスケルチの開閉を行うことができる。また、スケルチが開いている間のＲＳＳＩ信号電圧にオフセット値を加えることによってヒステリシス特性を持たせることができ、スケルチが短時間で開いたり閉じたりする、所謂、バタつきを防ぐことができる。
【００４４】
次に、受信装置１００が行うスケルチ補正処理を説明する。簡単に説明すると、受信装置１００は、スケルチオープン時間が誤動作判定時間以下の場合に誤動作が起きたと判別する。そして、誤動作計測時間内に誤動作が起きた回数を計数し、その回数に応じてノイズオフセット値を変更する。ノイズオフセット値を変更することによってスケルチの開閉の度合を変更することができる。
ここで、一般的に音声通信で送信を行う場合、その情報伝達に必要な時間、つまり、送信して送話し、受信に戻す時間は概ね１秒以上は必要であると考えられる。ＲＳＳＩ信号電圧と雑音信号電圧が、スケルチをオープンするための条件を満たすような場合であっても、その条件の持続時間が非常に短い時間であれば、受信を希望する信号を受信したのではないと判断して良いので、これを誤動作として判断し、誤動作計測時間内の誤動作回数を計測することで、現時点で設定されているスケルチレベルが適切であるか否かを判断し、適切で無い場合はスケルチ補正処理を行うことで適切なスケルチレベルの設定を可能とするものである。
【００４５】
以下、図５に示すフローチャートを参照しながらスケルチ補正処理を詳細に説明する。スケルチ補正処理は定期的に実行される。
【００４６】
先ず、受信装置１００の制御部１１０は、スケルチ設定情報１１１ａの誤動作回数を「０」に設定する（ステップＳ１０１）。そして、制御部１１０は、スケルチ設定情報１１１ａに記載された誤動作測定時間の計時を開始する。
【００４７】
制御部１１０は、スケルチが開いているか否かを判別する（ステップＳ１０２）。
【００４８】
スケルチが閉じていると判別すると（Ｓ１０２；ＮＯ）、制御部１１０は、処理をステップＳ１０７に進める。
【００４９】
スケルチが開いていると判別すると（Ｓ１０２；ＹＥＳ）、制御部１１０は、スケルチオープン時間の計時を開始した後に、スケルチが閉じているか否かを判別する（ステップＳ１０３）。
【００５０】
スケルチが開いていると判別すると（Ｓ１０３；ＮＯ）、制御部１１０は、誤動作測定時間が経過したか否かを判別する（ステップＳ１０５）。
【００５１】
誤動作測定時間が経過したと判別すると（Ｓ１０５；ＹＥＳ）、制御部１１０は、処理をステップＳ１０８に進める。
【００５２】
誤動作測定時間が経過していないと判別すると（Ｓ１０５；ＮＯ）、制御部１１０は、処理をステップＳ１０３に戻す。
【００５３】
スケルチが閉じていると判別すると（Ｓ１０３；ＹＥＳ）、制御部１１０は、ステップＳ１０２においてスケルチが開いてからステップＳ１０３でスケルチが閉じるまでの時間であるスケルチオープン時間が誤動作判定時間以下であるか否かを判別する（ステップＳ１０４）。
【００５４】
スケルチオープン時間が誤動作判定時間以下であると判別すると（Ｓ１０４；ＹＥＳ）、制御部１１０は、スケルチ設定情報１１１ａの誤動作回数に「１」を加算し（ステップＳ１０６）、処理をステップＳ１０７に進める。
【００５５】
スケルチオープン時間が誤動作判定時間より長いと判別すると（Ｓ１０４；ＮＯ）、制御部１１０は、処理をステップＳ１０７に進める。
【００５６】
ステップＳ１０７において、制御部１１０は、誤動作測定時間が経過したか否かを判別する（ステップＳ１０７）。
【００５７】
誤動作測定時間が経過していないと判別すると（Ｓ１０７；ＮＯ）、制御部１１０は、処理をステップＳ１０２に戻す。
【００５８】
誤動作測定時間が経過したと判別すると（Ｓ１０７；ＹＥＳ）、制御部１１０は、スケルチ設定情報１１１ａの誤動作回数が誤動作回数閾値以上であるか否かを判別する（ステップＳ１０８）。
【００５９】
誤動作回数が誤動作回数閾値以上であると判別すると（Ｓ１０８；ＹＥＳ）、制御部１１０は、スケルチ設定情報１１１ａのノイズオフセット値に「１」を加算し（ステップＳ１０９）、処理を終了する。
【００６０】
誤動作回数が誤動作回数閾値未満であると判別すると（Ｓ１０８；ＮＯ）、制御部１１０は、処理を終了する。
【００６１】
このようにして、スケルチ補正処理によれば、受信装置１００は、スケルチオープン時間に基づいて誤動作を検出し、誤動作回数を計数し、誤動作回数に基づいてノイズオフセット値を変更することができる。そして、ノイズオフセット値を変更することによってスケルチを開きにくくすることができる。
【００６２】
以上、本発明の第１の実施形態に係る受信装置１００は、ＲＳＳＩ信号電圧と雑音信号電圧との大小に基づいてスケルチの開閉を行う。また、スケルチが開いている間はＲＳＳＩ信号電圧にオフセット値を加えることによってヒステリシス特性を持たせることができる。また、誤動作を検出し、その回数に基づいて雑音信号電圧へのオフセット値を変更し、スケルチの開閉の度合を変更することができる。
【００６３】
（第２の実施形態）
第１の実施形態において、受信装置１００は、誤動作回数と閾値との関係に基づいて雑音信号電圧へのオフセット値を変更したが、第２の実施形態においては、誤動作回数に基づいて点数を減点又は加点し、その点数に基づいて雑音信号電圧へのオフセット値を変更するようにしてもよい。
【００６４】
第２の実施形態に係る受信装置の構成は、第１の実施形態と同様である。ただし、記憶部１１１は、スケルチ設定情報１１１ａではなく、スケルチ設定情報１１１ｂを記憶している。
【００６５】
スケルチ設定情報１１１ｂは、図６に示すように、ＲＳＳＩ信号の電圧値に加算するオフセット値であるＲＳＳＩオフセット値の項目と、雑音信号の電圧値に加算するオフセット値であるノイズオフセット値の項目と、スケルチの開閉が誤動作であるか否かを判別するための誤動作判定時間の項目と、誤動作を測定する時間である誤動作測定時間の項目と、誤動作測定を行う回数である誤動作測定回数の項目と、誤動作測定を行った回数である測定回数の項目と、誤動作測定を行う間隔である測定間隔の項目と、スケルチの開閉において誤動作したとみなされた回数である誤動作回数の項目と、後述する評価点を変更するための誤動作回数閾値の項目二つと、評価点の項目と、誤動作回数に応じて行う加点又は減点の点数の項目二つと、ノイズオフセット値を変更するための評価点閾値の項目二つと、から構成される。
【００６６】
例えば、制御部１１０は、スケルチ設定情報１１１ｂのＲＳＳＩオフセット値が「２」であれば、ＲＳＳＩ信号電圧値にＲＳＳＩオフセット値「２」を加算する。
例えば、制御部１１０は、スケルチ設定情報１１１ｂのノイズオフセット値が「１」であれば、雑音信号電圧値にノイズオフセット値「１」を加算する。
例えば、制御部１１０は、スケルチ設定情報１１１ｂの誤動作判定時間が「５ｍｓｅｃ」であれば、スケルチが開いている時間、つまり、スイッチ１０４がオンになっている時間（以下、スケルチオープン時間）が「５ｍｓｅｃ」以下のときに誤作動が起きたと判定する。
例えば、制御部１１０は、スケルチ設定情報１１１ｂの誤動作測定時間が「３０ｓｅｃ」であれば、「３０ｓｅｃ」の間、誤作動が起きた回数を計数する。
例えば、制御部１１０が、スケルチの開閉において誤動作を検出すると誤動作回数に「１」を加算する。
例えば、制御部１１０は、スケルチ設定情報１１１ｂの誤動作回数閾値１が「２」であれば、誤動作回数が「２」以上のときに評価点に、点数１に設定された点数を加算する。この実施形態においては、点数１は「−２」であるので、評価点に「２」を減算する。
例えば、制御部１１０は、スケルチ設定情報１１１ｂの誤動作回数閾値２が「１」であれば、誤動作回数が「１」のときに評価点に、点数２に設定された点数を加算する。この実施形態においては、点数２は「１」であるので、評価点に「１」を加算する。
例えば、制御部１１０は、誤動作回数に応じて評価点に点数を加算・減算する。
例えば、制御部１１０は、スケルチ設定情報１１１ｂの評価点閾値１が「−２」であれば、評価点が「−２」以下のときにノイズオフセット値に「１」を加算する。
例えば、制御部１１０は、スケルチ設定情報１１１ｂの評価点閾値２が「５」であれば、評価点が「５」以上のときにノイズオフセット値に「１」を減算する。
【００６７】
なお、スケルチ設定情報１１１ｂは、ユーザの操作部１１３を介した要求に応じて変更可能である。
【００６８】
以下、第２の実施形態に係る受信装置１００の動作を説明する。なお、スケルチ開閉処理は、第１の実施形態と同様である。また、各処理は、時分割処理によって行われる。なお、受信装置１００の電源投入時に、ＲＳＳＩオフセット値、ノイズオフセット値、測定回数、誤動作回数、評価点は、「０」にプリセットされる。
【００６９】
先ず、受信装置１００が行う評価点導出処理を説明する。簡単に説明すると、受信装置１００は、誤動作回数に応じて評価点を加点・減点する。
【００７０】
以下、図７に示すフローチャートを参照しながら、評価点導出処理を詳細に説明する。なお、評価点導出処理は定期的に実行される。
【００７１】
先ず、受信装置１００の制御部１１０は、スケルチ設定情報１１１ｂの誤動作回数及び測定回数を「０」に設定する（ステップＳ２０１）。
【００７２】
制御部１１０は、スケルチ設定情報１１１ｂに記載された誤動作測定時間と測定間隔との計時を開始した後に、スケルチが開いているか否かを判別する（ステップＳ２０２）。
【００７３】
スケルチが閉じていると判別すると（Ｓ２０２；ＮＯ）、制御部１１０は、処理をステップＳ２０７に進める。
【００７４】
スケルチが開いていると判別すると（Ｓ２０２；ＹＥＳ）、制御部１１０は、スケルチオープン時間の計時を開始した後に、スケルチが閉じているか否かを判別する（ステップＳ２０３）。
【００７５】
スケルチが開いていると判別すると（Ｓ２０３；ＮＯ）、制御部１１０は、誤動作測定時間が経過したか否かを判別する（ステップＳ２０５）。
【００７６】
誤動作測定時間が経過したと判別すると（Ｓ２０５；ＹＥＳ）、制御部１１０は、処理をステップＳ２０８に進める。
【００７７】
誤動作測定時間が経過していないと判別すると（Ｓ２０５；ＮＯ）、制御部１１０は、処理をステップＳ２０３に戻す。
【００７８】
スケルチが閉じていると判別すると（Ｓ２０３；ＹＥＳ）、制御部１１０は、ステップＳ２０２においてスケルチが開いてからステップＳ２０３でスケルチが閉じるまでの時間であるスケルチオープン時間が誤動作判定時間以下であるか否かを判別する（ステップＳ２０４）。
【００７９】
スケルチオープン時間が誤動作判定時間以下であると判別すると（Ｓ２０４；ＹＥＳ）、制御部１１０は、スケルチ設定情報１１１ｂの誤動作回数に「１」を加算し（ステップＳ２０６）、処理をステップＳ２０７に進める。
【００８０】
スケルチオープン時間が誤動作判定時間より長いと判別すると（Ｓ２０４；ＮＯ）、制御部１１０は、処理をステップＳ２０７に進める。
【００８１】
ステップＳ２０７において、制御部１１０は、誤動作測定時間が経過したか否かを判別する（ステップＳ２０７）。
【００８２】
誤動作測定時間が経過していないと判別すると（Ｓ２０７；ＮＯ）、制御部１１０は、処理をステップＳ２０２に戻す。
【００８３】
誤動作測定時間が経過したと判別すると（Ｓ２０７；ＹＥＳ）、制御部１１０は、スケルチ設定情報１１１ｂの誤動作回数が誤動作回数閾値１以上であるか否かを判別する（ステップＳ２０８）。
【００８４】
誤動作回数が誤動作回数閾値１以上であると判別すると（Ｓ２０８；ＹＥＳ）、制御部１１０は、スケルチ設定情報１１１ｂの評価点に点数１を加算する（ステップＳ２０９）。ここでは、評価点に、点数１として設定されている「−２」を加算する。
【００８５】
次に、制御部１１０は、スケルチ設定情報１１１ｂの測定回数に「１」を加算し（ステップＳ２１２）、処理をステップＳ２１３に進める。
【００８６】
誤動作回数が誤動作回数閾値１未満であると判別すると（Ｓ２０８；ＮＯ）、制御部１１０は、誤動作回数が誤動作回数閾値２と等しいか否かを判別する（ステップＳ２１０）。
【００８７】
誤動作回数が誤動作回数閾値２と等しいと判別すると（Ｓ２１０；ＹＥＳ）、制御部１１０は、評価点に点数２を加算し（ステップＳ２１１）、スケルチ設定情報１１１ｂの測定回数に「１」を加算し（ステップＳ２１２）、処理をステップＳ２１３に進める。ここでは、評価点に、点数２として設定されている「１」を加算する。
【００８８】
誤動作回数が誤動作回数閾値２と等しくないと判別すると（Ｓ２１０；ＮＯ）、制御部１１０は、スケルチ設定情報１１１ｂの測定回数に「１」を加算し（ステップＳ２１２）、処理をステップＳ２１３に進める。
【００８９】
ステップＳ２１３において、制御部１１０は、測定回数が誤動作測定回数に達したか否かを判別する（ステップＳ２１３）。
【００９０】
測定回数が誤動作測定回数に達したと判別すると（Ｓ２１３；ＹＥＳ）、制御部１１０は、処理を終了する。
【００９１】
測定回数が誤動作測定回数に達していないと判別すると（Ｓ２１３；ＮＯ）、制御部１１０は、測定間隔が経過するまで待機し、測定間隔が経過するとスケルチ設定情報１１１ｂの誤動作回数を「０」に初期化し（ステップＳ２１４）、処理をステップＳ２０２に戻す。
【００９２】
このようにして、評価点導出処理によれば、誤動作回数に応じた点数を導出することができる。
【００９３】
次に、受信装置１００が行うスケルチ補正処理を説明する。簡単に説明すると、受信装置１００は、評価点と閾値との大小に基づいてノイズオフセット値を増減させる。
【００９４】
以下、図８に示されるフローチャートを参照しながら、スケルチ補正処理を詳細に説明する。なお、スケルチ補正処理は定期的に実行される。
【００９５】
先ず、受信装置１００の制御部１１０は、スケルチ設定情報１１１ｂの評価点が評価点閾値１以下であるか否かを判別する（ステップＳ３０１）。
【００９６】
評価点が評価点閾値１以下であると判別すると（Ｓ３０１；ＹＥＳ）、制御部１１０は、スケルチ情報１１１ｂのノイズオフセット値に「１」を加算し、処理を終了する。
【００９７】
評価点が評価点閾値１より大きいと判別すると（Ｓ３０１；ＮＯ）、制御部１１０は、評価点が評価点閾値２以上であるか否かを判別する（ステップＳ３０３）。
【００９８】
評価点が評価点閾値２以上であると判別すると（Ｓ３０３；ＹＥＳ）、制御部１１０は、スケルチ情報１１１ｂのノイズオフセット値に「１」を減算し、処理を終了する。
【００９９】
評価点が評価点閾値２未満であると判別すると（Ｓ３０３；ＮＯ）、制御部１１０は、処理を終了する。
【０１００】
このようにして、評価点導出処理とスケルチ補正処理によれば、誤動作回数に応じて評価点を加点・減点し、その評価点に応じてノイズオフセット値を変更することができる。このような方法を取ることにより、適切にスケルチの開閉を自動補正することができる。
【０１０１】
なお、本発明は上記実施形態に限定されるものではなく、種々の変形及び応用が可能である。
【０１０２】
上記実施形態において、受信装置は、スケルチが開いているときにＲＳＳＩ信号に所定のオフセット値を加算するようにしたが、雑音信号に所定のオフセット値を減算するようにしてもよい。
【０１０３】
また、第１の実施形態において、受信装置は、誤動作回数が閾値以上のときに雑音信号のオフセット値に所定値を加算したが、ＲＳＳＩ信号のオフセット値に所定値を減算するようにしてもよい。
【０１０４】
また、第２の実施形態において、受信装置は、評価点が閾値以下のときに雑音信号のオフセット値に所定値を加算し、評価点が閾値以上のときに雑音信号のオフセット値に所定値を減算したが、評価点が閾値以下のときにＲＳＳＩ信号のオフセット値に所定値を減算し、評価点が閾値以上のときにＲＳＳＩ信号のオフセット値に所定値を加算するようにしてもよい。
【０１０５】
また、ユーザが操作部を介して操作することによって、ＲＳＳＩ信号及び／又は雑音信号のオフセット値を変更できるようにしてもよい。
【０１０６】
また、上記実施形態で使用した各種数値は任意であり、その他、具体的な細部についても適宜変更可能である。
【０１０７】
なお、本発明に係る受信装置は、専用のシステムによらず、通常のコンピュータシステムを用いて実現可能である。たとえば、無線信号を受信し、復調する機能を備えるコンピュータに、上記動作を実行するためのプログラムを、コンピュータシステムが読みとり可能な記録媒体（フレキシブルディスク、ＣＤ−ＲＯＭ、ＤＶＤ−ＲＯＭ等）に格納して配布し、当該プログラムをコンピュータシステムにインストールすることにより、上述の処理を実行する受信装置を構成してもよい。また、インターネット等の通信ネットワーク上のサーバ装置が有するストレージに当該プログラムを格納しておき、通常のコンピュータシステムがダウンロード等することで受信装置を構成してもよい。
【０１０８】
また、上述の機能を、ＯＳ（Operating System）とアプリケーションとの分担、またはＯＳとアプリケーションとの協働により実現する場合などには、アプリケーション部分のみを記録媒体やストレージに格納してもよい。
【０１０９】
（付記１）
変調信号を受信して復調し、復調信号を出力する信号復調手段と、
前記信号復調手段が出力した復調信号の強度を計測する信号強度計測手段と、
前記変調信号に含まれる雑音成分の強度を計測する雑音強度計測手段と、
前記信号復調手段が出力した復調信号の外部への出力をオン又はオフするスイッチ手段と、
前記信号強度計測手段が計測した復調信号の強度と、前記雑音強度計測手段が計測した雑音成分の強度との差分に基づいて前記スイッチ手段が前記復調信号の外部への出力をオン又はオフするように制御する制御手段と、を備え、
前記制御手段は、
前記復調信号の強度と前記雑音成分の強度との差分が所定の値以上になった場合に前記スイッチ手段が前記復調信号の外部への出力をオンし、前記復調信号の強度と前記雑音成分の強度との差分が所定の値未満になった場合に前記スイッチ手段が前記復調信号の外部への出力をオフするように制御し、
前記スイッチ手段に前記復調信号の外部への出力をオンさせた場合に、前記復調信号の強度に所定のオフセット値を加算するか又は前記雑音成分の強度から所定のオフセット値を減算し、
前記所定のオフセット値を前記復調信号の強度に加算している場合において該所定のオフセット値を加算している復調信号の強度と前記雑音成分の強度との差分が所定の値未満になった場合に前記復調信号の強度への前記所定のオフセット値の加算を中止し、
前記所定のオフセット値を前記雑音成分の強度から減算している場合において前記復調信号の強度と前記所定のオフセット値が減算された雑音成分の強度との差分が所定の値未満になった場合に前記雑音成分の強度からの前記所定のオフセット値の減算を中止する、
ことを特徴とする受信装置。
【０１１０】
（付記２）
前記制御手段が前記スイッチ手段に前記復調信号の外部への出力をオンさせてからオフさせるまでのスケルチオープン時間を計時する計時手段と、
前記計時手段が計時したスケルチオープン時間が第１の時間より短いか否かを判別する時間比較手段と、
前記スケルチオープン時間が第１の時間より短いと前記時間比較手段が第２の時間内に判別した回数である誤動作回数を計数する計数手段と、
前記計数手段が計数した誤動作回数が閾値よりも大きい場合に、前記復調信号の強度に所定のオフセット値を減算するか、或いは、雑音成分の強度に所定のオフセット値を加算するスケルチレベル補正手段と、を備える、
ことを特徴とする付記１に記載の受信装置。
【０１１１】
（付記３）
前記スケルチレベル補正手段は、
前記計数手段が計数した誤動作回数が所定数より小さい場合に、スケルチレベルを変更するための閾値である評価点に第１の点数を加算し、
前記計数手段が計数した誤動作回数が所定数より大きい場合に、前記評価点に第２の点数を減算し、
前記評価点が第３の点数より高得点である場合に前記雑音成分の強度に所定のオフセット値を減算し、
前記評価点が第４の点数より低得点である場合に前記雑音成分の強度に所定のオフセット値を加算する、
ことを特徴とする付記２に記載の受信装置。
【０１１２】
（付記４）
前記スケルチレベル補正手段は、
前記計数手段が計数した誤動作回数が所定数より小さい場合に、スケルチレベルを変更するための閾値である評価点に第１の点数を加算し、
前記計数手段が計数した誤動作回数が所定数より大きい場合に、前記評価点に第２の点数を減算し、
前記評価点が第３の点数より高得点である場合に前記復調信号の強度に所定のオフセット値を加算し、
前記評価点が第４の点数より低得点である場合に前記復調信号の強度に所定のオフセット値を減算する、
ことを特徴とする付記２に記載の受信装置。
【０１１３】
（付記５）
前記復調信号の強度又は前記雑音成分の強度に任意のオフセット値を加算、又は、減算するスケルチレベル調整手段をさらに備える、
ことを特徴とする付記１乃至４の何れかに記載の受信装置。
【０１１４】
（付記６）
変調信号を受信して復調し、復調信号を出力する信号復調ステップと、
前記信号復調ステップで出力した復調信号の強度を計測する信号強度計測ステップと、
前記変調信号に含まれる雑音成分の強度を計測する雑音強度計測ステップと、
前記信号復調ステップで出力した復調信号の外部への出力をオン又はオフするスイッチステップと、
前記信号強度計測ステップで計測した復調信号の強度と、前記雑音強度計測ステップで計測した雑音成分の強度との差分に基づいて前記スイッチステップでの前記復調信号の外部への出力をオン又はオフするように制御する制御ステップと、を備え、
前記制御ステップでは、
前記復調信号の強度と前記雑音成分の強度との差分が所定の値以上になった場合に前記スイッチステップでの前記復調信号の外部への出力をオンし、前記復調信号の強度と前記雑音成分の強度との差分が所定の値未満になった場合に前記スイッチステップでの前記復調信号の外部への出力をオフするように制御し、
前記スイッチステップでの前記復調信号の外部への出力をオンさせた場合に、前記復調信号の強度に所定のオフセット値を加算するか又は前記雑音成分の強度から所定のオフセット値を減算し、
前記所定のオフセット値を前記復調信号の強度に加算している場合において該所定のオフセット値を加算している復調信号の強度と前記雑音成分の強度との差分が所定の値未満になった場合に前記復調信号の強度への前記所定のオフセット値の加算を中止し、
前記所定のオフセット値を前記雑音成分の強度から減算している場合において前記復調信号の強度と前記所定のオフセット値が減算された雑音成分の強度との差分が所定の値未満になった場合に前記雑音成分の強度からの前記所定のオフセット値の減算を中止する、
ことを特徴とするスケルチレベル設定方法。
【０１１５】
（付記７）
前記制御ステップにおいて前記スイッチステップでの前記復調信号の外部への出力をオンさせてからオフさせるまでのスケルチオープン時間を計時する計時ステップと、
前記計時ステップで計時したスケルチオープン時間が第１の時間より短いか否かを判別する時間比較ステップと、
前記スケルチオープン時間が第１の時間より短いと前記時間比較ステップで第２の時間内に判別した回数である誤動作回数を計数する計数ステップと、
前記計数ステップで計数した誤動作回数が閾値よりも大きい場合に、前記復調信号の強度に所定のオフセット値を減算するか、或いは、前記雑音成分の強度に所定のオフセット値を加算するスケルチレベル補正ステップと、を備える、
ことを特徴とする付記６に記載のスケルチレベル設定方法。
【０１１６】
（付記８）
変調信号を受信して復調し、復調信号を出力する信号復調手段と、前記信号復調手段が出力した復調信号の外部への出力をオン又はオフするスイッチ手段とを備えるコンピュータを、
前記信号復調手段が出力した復調信号の強度を計測する信号強度計測手段、
前記変調信号に含まれる雑音成分の強度を計測する雑音強度計測手段、
及び、前記復調信号の強度と前記雑音成分の強度との差分が所定の値以上になった場合に前記スイッチ手段が前記復調信号の外部への出力をオンし、前記復調信号の強度と前記雑音成分の強度との差分が所定の値未満になった場合に前記スイッチ手段が前記復調信号の外部への出力をオフするように制御し、
前記スイッチ手段に前記復調信号の外部への出力をオンさせた場合に、前記復調信号の強度に所定のオフセット値を加算するか又は前記雑音成分の強度から所定のオフセット値を減算し、
前記所定のオフセット値を前記復調信号の強度に加算している場合において該所定のオフセット値を加算している復調信号の強度と前記雑音成分の強度との差分が所定の値未満になった場合に前記復調信号の強度への前記所定のオフセット値の加算を中止し、
前記所定のオフセット値を前記雑音成分の強度から減算している場合において前記復調信号の強度と前記所定のオフセット値が減算された雑音成分の強度との差分が所定の値未満になった場合に前記雑音成分の強度からの前記所定のオフセット値の減算を中止する制御手段、
として機能させることを特徴とするプログラム。
【０１１７】
（付記９）
コンピュータを、
前記制御手段が前記スイッチ手段に前記復調信号の外部への出力をオンさせてからオフさせるまでのスケルチオープン時間を計時する計時手段、
前記計時手段が計時したスケルチオープン時間が第１の時間より短いか否かを判別する時間比較手段、
及び、前記スケルチオープン時間が第１の時間より短いと前記時間比較手段が第２の時間内に判別した回数である誤動作回数を計数する計数手段、
前記計数手段が計数した誤動作回数が閾値よりも大きい場合に、前記復調信号の強度に所定のオフセット値を減算するか、或いは、雑音成分の強度に所定のオフセット値を加算するスケルチレベル補正手段、
として機能させることを特徴とする付記８に記載のプログラム。
【符号の説明】
【０１１８】
１００      受信装置
１０１      アンテナ
１０２      復調回路
１０３      第１ＢＰＦ
１０４      スイッチ
１０５      音声スピーカ
１０６      第２ＢＰＦ
１０７      検波器
１０８      Ａ／Ｄ変換器
１０９      Ａ／Ｄ変換器
１１０      制御部
１１１      記憶部
１１１ａ    スケルチ設定情報
１１１ｂ    スケルチ設定情報
１１２      表示部
１１３      操作部
【図１】
0005293849.tif 000002
【図２】
0005293849.tif 000003
【図３】
0005293849.tif 000004
【図４】
0005293849.tif 000005
【図５】
0005293849.tif 000006
【図６】
0005293849.tif 000007
【図７】
0005293849.tif 000008
【図８】
0005293849.tif 000009